(57)【特許請求の範囲】
【請求項１】
底面と、その周縁から上方に延出する側壁と、を備え、上端部が開放された洗い場本体と、
上記側壁に取設される水栓本体と、
前記水栓本体に接続され、ホース部を有するシャワー部と、
前記側壁に取設され、前記シャワー部のシャワーヘッドを保持する保持部と、
前記側壁に取設される手摺と、
を備え、
前記洗い場本体の外側から前記水栓本体及びシャワーヘッドを用いた作業を行うために、前記水栓本体及び保持部を前記側壁の前記手摺よりも上方に取設したことを特徴とするシャワー用洗い場。
【請求項２】
前記手摺は、前記水栓本体及び前記保持部の下方に横設されることを特徴とする請求項１記載のシャワー用洗い場。
【請求項３】
前記側壁の前記水栓本体及び前記保持部が取設された部分周辺は、外方に向かって凹んだ凹陥部を形成することを特徴とする請求項２記載のシャワー用洗い場。
【請求項４】
前記凹陥部は、前記手摺より下方にまで延在することを特徴とする請求項３記載のシャワー用洗い場。
【請求項５】
前記シャワー用洗い場は、前記側壁が欠切された出入口と、前記側壁が他の側壁より低く立ち上げられた作業用壁とを備えることを特徴とする請求項１記載のシャワー用洗い場。
【請求項６】
前記手摺は、前記出入口及び前記作業用壁を除く側壁に連続的に横設されることを特徴とする請求項５記載のシャワー用洗い場。
【請求項７】
前記水栓本体の下方の前記側壁内部には止水栓が配置され、該止水栓は、外方の側壁に設けられた点検口から操作可能であることを特徴とする請求項１記載のシャワー用洗い場。
【請求項８】
前記水栓本体は、回動可能なスパウトを備えることを特徴とする請求項１記載のシャワー用洗い場。
【発明の詳細な説明】
【技術分野】
【０００１】
本発明は、シャワー用洗い場に係り、特に保育園や幼稚園等に設置される幼児のシャワー用洗い場に関する。
【背景技術】
【０００２】
従来、保育園や幼稚園等に設置される幼児のシャワー用洗い場として、容部とその容部上縁より上縁リムを延設して形成した樹脂製の幼児のシャワー用洗い場であって、上記容部、上縁リムを上方より切欠してその下面をステップとする出入口を形成すると共にそのステップの容部側に容壁よりも低い立上がり壁を立設して容部とステップを仕切ってなり、上記上縁リムにはその必要箇所を広くして物置きスペースを形成したものがある（例えば、特許文献１参照。）。
【０００３】
図６にその一例を示す。同図に示した例では、洗い場１０１の側壁１０２の高さは低い。他方、水栓金具１０３は保育士等使用者の扱い易い高さ、且つ幼児の手の届かない高さに設ける必要がある。また、シャワー１０４は、不使用時にホース１０５が垂れ下がって幼児が引っ掛かることを防止するために、不使用時には高い位置に保持する必要がある。そのため、水栓金具１０３やシャワーフック１０６、また手摺１０７等は、洗い場１０１の上部の建築壁Ｗに、洗い場１０１本体とは別に取り付けられる。
【０００４】
【特許文献１】実開昭５８−１８３１８９号公報
【発明の開示】
【発明が解決しようとする課題】
【０００５】
しかしながら、この構成では、水栓金具やシャワーフックの取付位置の自由度はある反面、壁付け部材の工事が別途必要となり、施工に手間がかかっている。
【０００６】
さりとて、これらの金具を洗い場１０１本体の側壁に取り付けると、取付高さが低くなって、保育士等使用者の使い勝手が悪くなるばかりでなく、シャワーホースに幼児が引っ掛かるおそれがあり、危険である。
【０００７】
本発明は、上述した事情を考慮してなされたもので、洗い場本体と付属する水栓金具等とを含めた全体の施工性が向上したシャワー用洗い場を提供することを目的とするものである。
【０００８】
本発明の他の目的は、シャワーホースが洗い場本体内にあってもその置き場所に困らないシャワー用洗い場を提供することにある。
【課題を解決するための手段】
【０００９】
本発明に係るシャワー用洗い場は、上述した課題を解決するために、請求項１に記載したように、底面と、その周縁から上方に延出する側壁と、を備え、上端部が開放された洗い場本体と、上記側壁に取設される水栓本体と、前記水栓本体に接続され、ホース部を有するシャワー部と、前記側壁に取設され、前記シャワー部のシャワーヘッドを保持する保持部と、前記側壁に取設される手摺と、を備え、前記洗い場本体の外側から前記水栓本体及びシャワーヘッドを用いた作業を行うために、前記水栓本体及び保持部を前記側壁の前記手摺よりも上方に取設したものである。
【００１０】
前記手摺は、好適には、請求項２に記載したように、前記水栓本体及び前記保持部の下方に横設されることが望ましく、さらに、請求項３に記載したように、前記側壁の前記水栓本体及び前記保持部が取設された部分周辺は、外方に向かって凹んだ凹陥部を形成し、前記凹陥部は、請求項４に記載したように、前記手摺より下方にまで延在する構成とすることができる。
【００１１】
そして、前記シャワー用洗い場は、好適には、請求項５に記載したように、前記側壁が欠切された出入口と、前記側壁が他の側壁より低く立ち上げられた作業用壁とを備えてもよい。
【００１２】
また、前記手摺は、好適には、請求項６に記載したように、前記出入口及び前記作業用壁を除く側壁に連続的に横設されることが望ましい。
【００１３】
さらに、好適には、請求項７に記載したように、前記水栓本体の下方の前記側壁内部には止水栓が配置され、該止水栓は、外方の側壁に設けられた点検口から操作可能としてもよい。
【００１４】
他方、前記水栓本体は、好適には、請求項８に記載したように、回動可能なスパウトを備えてもよい。
【発明の効果】
【００１５】
本発明に係るシャワー用洗い場によれば、洗い場本体と付属する水栓金具等とを含めた全体の施工性が向上する。また、本発明は、シャワーホースが洗い場本体内にあってもその置き場所に困らない効果が得られる。
【発明を実施するための最良の形態】
【００１６】
本発明に係るシャワー用洗い場の実施の形態について、添付図面を参照して説明する。図１は本実施形態に係るシャワー用洗い場１の平面図、図２は同正面図、図３は一方向から見た斜視図、及び図４は他の方向から見た斜視図である。
【００１７】
図中２は洗い場本体を示し、ＦＲＰその他の合成樹脂により形成される。この洗い場本体２は、底面３と、その周縁から上方に延出する側壁６、作業用壁８、及び立上り壁９から構成される。
【００１８】
底面３は、平面視略矩形状を呈し、立上り壁９により洗い場面４とステップ５とに区画され、洗い場面４表面及びステップ表面５には、シャワーを浴びる幼児が滑らないように、滑り止めが施されている。
【００１９】
側壁６は、洗い場本体２の背面及び両側面の壁を構成し、その高さは略１１００ｍｍに形成されるので、シャワー吐水時において水が外部に跳ね出すことが防止される。洗い場本体２の正面を除く三方の側面を構成する側壁６には、その略中段に、手摺１０が連続的に横設される。
【００２０】
また、洗い場本体２の一方の側面の壁を構成する側壁６には、外方に向かって凹んだ凹陥部７が形成される。この凹陥部７は、その上端が側壁６の上端まで延在し、その下端は手摺１０より下方にまで延在する。したがって、凹陥部７と手摺１０との間の隙間は、通常の側壁６と手摺１０との間の隙間より大きくなっている。
【００２１】
そして、この凹陥部７の上端近傍に、水栓本体１１が取設される。水栓本体１１はこのように比較的高い位置に取設されるので、保育士等使用者には操作し易く、その反面、幼児には手が届かない高さとなっている。
【００２２】
水栓本体１１には、シャワーホース１３の先端にシャワーヘッド１４が取り付けられたシャワー部１２が接続される。シャワー部１２不使用時にシャワーヘッド１４を保持するシャワーフック１５もまた、水栓本体１１と略同じ高さに、凹陥部７に取設される。そして、シャワーヘッド１４がシャワーフック１５に保持されている状態では、屈曲したシャワーホース１３の下端は、手摺よりも下まで垂下する。
【００２３】
この場合、シャワーホース１３は、凹陥部７と手摺１０と間の隙間に入るか、若しくは手摺１０の外側になるかいずれかである。手摺１０の外側になった場合、幼児がそのシャワーホース１３で手や足を引っ掛けることが考えられ危険である。
【００２４】
しかしながら、凹陥部７と手摺１０との間の隙間は、上述したように大きくとられているので、保育士等使用者は、入れ難く面倒と感じることなく、屈曲したシャワーホース１３の下端を、容易に凹陥部７と手摺１０との間の隙間に収納することができる。
【００２５】
作業用壁８は、洗い場本体２の正面側に配置され、その高さは側壁６よりも低く形成されるので、洗い場本体２の外側に位置する保育士等使用者が、洗い場本体２内の幼児を保持する等の作業が行い易くなっている。なお、洗い場本体２の正面側、作業用壁８の残余の部分には壁面は設けられず、幼児の幅より若干広い間隔の出入口Ｅが形成される。
【００２６】
立上り壁９は、一端が作業用壁８の端部に接続され、他端は隣接する側壁６に接続されて、洗い場面４とステップ５とを隔てている。その高さは、作業用壁８より更に低く、幼児が跨ぎ易いように形成されている。
【００２７】
なお、水栓本体１１の下方の側壁６内部には、給水管／給湯管との接続部に図示しない止水栓が配置され、この止水栓は、外方の側壁６に設けられた点検口１６から操作することが可能である。
【００２８】
次に、本実施形態に係るシャワー用洗い場１の変形例について、図５を参照して説明する。本変形例のシャワー用洗い場１Ａは、同図に示すように、水栓本体１１に回動自在なスパウト１７が備えられる点で、実施形態におけるものと基本的に相違し、他の構成は実施形態と実質的に同じであり、同じ符号を付して説明を省略する。
【００２９】
このスパウト１７は、不使用時には凹陥部７側に回動されて収納されるので邪魔になることはなく、使用時には側壁６を越えて回動することがないので、洗い場本体２の外部に放水されることが防止される。
【００３０】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００３１】
【図１】本発明に係るシャワー用洗い場の一実施形態を示す平面図。
【図２】本実施形態に係るシャワー用洗い場の正面図。
【図３】本実施形態に係るシャワー用洗い場の一斜視図。
【図４】本実施形態に係るシャワー用洗い場の他の斜視図。
【図５】本実施形態に係るシャワー用洗い場の変形例を示す斜視図。
【図６】従来のシャワー用洗い場の一例を示す図で、（ａ）は正面図、（ｂ）は側面図。
【符号の説明】
【００３２】
１，１Ａ  シャワー用洗い場
２  洗い場本体
３  底面
４  洗い場面
５  ステップ
６  側壁
７  凹陥部
８  作業用壁
９  立上り壁
１０  手摺
１１  水栓本体
１２  シャワー部
１３  シャワーホース
１４  シャワーヘッド
１５  シャワーフック
１６  点検口
１７  スパウト
Ｅ  出入口
【図１】
0005030018.tif 000002
【図２】
0005030018.tif 000003
【図３】
0005030018.tif 000004
【図４】
0005030018.tif 000005
【図５】
0005030018.tif 000006
【図６】
0005030018.tif 000007